(57)【要約】      （修正有）【課題】細長い長尺物を集束保持可能なホルダーを提供する。【解決手段】複数本の長尺物を載置する、直線状に延びる中間材３と、中間材の両端に、中間材に対して略垂直に延び、かつ旋回不能に固設された、互いに対向する一対の垂直材２と、を有し、複数本の細長い長尺物を横方向に集束させる集束案内材４が、横方向に隣接する長尺物同士の間を仕切るように中間材に固設され及び／又は縦方向に隣接する長尺物同士の間を仕切るように垂直材に固設される。【選択図】図１
0003225509.tif 000002
【実用新案登録請求の範囲】
【請求項１】
複数本の細長い長尺物を収束するホルダーであって、
前記複数本の長尺物を載置する、直線状に延びる中間材と、
前記中間材の両端に、前記中間材に対して略垂直に延び、
かつ旋回不能に固設された、互いに対向する一対の垂直材と、
を有し、
前記複数本の細長い長尺物を横方向に集束させる集束案内材が、
横方向に隣接する前記長尺物同士の間を仕切るように前記中間材に固設され及び／又は
縦方向に隣接する前記長尺物同士の間を仕切るように前記垂直材に固設されてなる、
ことを特徴とする複数本の細長い長尺物を集束するホルダー。
【請求項２】
前記集束案内材が、
前記中間材における前記垂直材から前記長尺物１本以上の外径分離間した位置に略垂直方向に延びるように固設された第１案内材と、
前記一対の垂直材のうちの一方における前記中間材との接合部位から前記長尺物１本以上の外径分離間した位置から前記中間材に平行に延設されるが、他方の垂直材には当接しない第２案内材と、
を有してなる、ことを特徴とする請求項１に記載の複数本の細長い長尺物を集束するホルダー。
【請求項３】
前記第１及び第２案内材が一体的に形成されてなる、ことを特徴とする請求項２に記載の複数本の細長い長尺物を集束するホルダー。
【請求項４】
前記中間材に直に載置される１以上の長尺物を嵩上げする枕部が固設されてなる、ことを特徴とする請求項１乃至３に記載の複数本の細長い長尺物を集束するホルダー。
【考案の詳細な説明】
【技術分野】
【０００１】
本考案は、細長い長尺物を集束するホルダーに関する。さらに詳しくは、建築現場等において足場として使用される丸パイプ或いは角パイプ等の長尺物を複数本纏めて集束或いは結束した状態でフォークリフトやクレーンを用いてトラック等に積載して建築現場等へ運搬する際、逆に建築現場等で足場が撤去された後、丸パイプ或いは角パイプ等の長尺物を複数本纏めて結束或いは結束した状態でフォークリフトやクレーンを用いてトラック等に積載して撤収する際に用いる細長い長尺物を集束するホルダーに関する。
【背景技術】
【０００２】
かかる細長い長尺物を集束するホルダーとして、例えば、特許文献１には、それぞれ２本の支柱及びその下部間に接合された略水平な受け棒からなる１対の建枠と、前記各建枠の支柱間であって前記受け棒の上側に略平行かつ上下移動自在に配置された押さえ棒と、この押さえ棒の両端を前記支柱に高さ選択自在に係止する係止部材とを備えた仮設パイプ用ラックが開示されている。
【０００３】
特許文献１に開示された細長い長尺物を集束するラックは、１対の建枠を構成するそれぞれ２本の支柱の下部同士を接合する略水平な受け棒と、各建枠の支柱間で、かつ受け棒の上側に略平行かつ上下移動自在に配置された押さえ棒を、構成要件としているので構成がやや複雑であり、複数の長尺物を収容する籠としての機能を有したものであると言える。
【０００４】
建築現場等において足場として使用される丸パイプ或いは角パイプの長尺物は、一般に各一本が重量物であるので、まとまった本数、例えば１０本のパイプ材等を一人の人間が結束バンドで結わえることはできないが、イメージとしては結束バンド的な簡易な構成で取り扱いの容易な、長い長尺物を集束するホルダーとして、特許文献２には、鋼管角パイプ用止メ金具と鋼管丸パイプ用と止メ金具をもった二本の支柱を収納可能とした本体の構成による角パイプ及び丸パイプ用折り畳み式結束器が開示されている。
【先行技術文献】
【特許文献】
【０００５】
【特許文献１】実開平６−６６９７６号公報
【特許文献２】実開昭５９−１２３０６９号公報
【考案の概要】
【考案が解決しようとする課題】
【０００６】
特許文献１に開示された仮設パイプ用ラックは、構成がやや複雑であり、複数の長尺物を収容する籠としての機能を有したものである。
特許文献２には、結束バンド的に使用できる簡易な構成の角パイプ及び丸パイプ用折り畳み式結束器が開示されているものの、二本の支柱を収納可能とした本体の構成を要件としているため、建築現場等において足場として使用される丸パイプ或いは角パイプの長尺物は、一般に各一本が重量物であるので、まとまった本数を保持するには、脆弱であるという欠点がある。そのうえ、例えば１０本以上のパイプ材等を特許文献２の角パイプ及び丸パイプ用折り畳み式結束器を用いて集束保持すると、最上段に配置されたパイプが平坦にならないため、仮にロープ等で結わえたとしてもトラック等での輸送時に、最上部のパイプが抜け落ちて、重大な事故に繋がる虞がある。
本考案は、構成がシンプルで、結束バンド的に取り扱うことができ、そのうえ、複数本の長尺物を多段式に集束保持しても最上段に配置されたパイプが平坦に配置されるため、仮に番線等で結わえたとしてもトラック等での輸送時に、最上部のパイプが抜け落ちることがない細長い長尺物を集束するホルダーを提供することである。
【課題を解決するための手段】
【０００７】
本考案の一態様にかかる細長い長尺物を集束するホルダーは、
複数本の細長い長尺物を集束するホルダーであって、
前記複数本の長尺物を載置する、直線状に延びる中間材と、
前記中間材の両端に、前記中間材に対して略垂直に延び、
かつ旋回不能に固設された、互いに対向する一対の垂直材と、
を有し、
前記複数本の細長い長尺物を横方向に集束させる集束案内材が、
横方向に隣接する前記長尺物同士の間を仕切るように前記中間材に固設され及び／又は
縦方向に隣接する前記長尺物同士の間を仕切るように前記垂直材に固設されてなる、
ことを特徴とするものである。
【０００８】
本考案の一態様にかかる細長い長尺物を集束するホルダーは、前記集束案内材が、
前記中間材における前記垂直材から前記長尺物１本以上の外径分離間した位置に略垂直方向に延びるように固設された第１案内材と、
前記一対の垂直材のうちの一方における前記中間材との接合部位から前記長尺物１本以上の外径分離間した位置から前記中間材に平行に延設されるが、他方の垂直材には当接しない第２案内材と、を有することもできる。
【０００９】
本考案の一態様にかかる細長い長尺物を集束するホルダーは、前記第１及び第２案内材が一体的に形成されてなる、ようにし得る。
【００１０】
本考案の一態様にかかる細長い長尺物を集束するホルダーは、前記中間材に直に載置される１以上の長尺物を嵩上げする枕部が固設されてなる、ことを特徴とする請求項１乃至３に記載の複数本の細長い長尺物を集束するようにし得る。
【考案の効果】
【００１１】
請求項１に係る考案によれば、丸パイプや角パイプまた、鍔が付設されたパイプ等の長尺物が、垂直材に固設された集束案内材により、長尺物の自重によってホルダーの中心に移動することで集束保持されることが可能となり、垂直材の長手方向への動きを抑制できる。また、長尺物をホルダーに載荷させるので、クレーンやフォークリフト等で揚重や移動しても、途中で長尺物の脱落等事故を防ぐ事が可能となり、さらに載荷された長尺物の数量の確認や検収も容易になる効果を奏する。
【００１２】
請求項２に係る考案によれば、垂直材から長尺物１本以上の外径分離間した位置に第１案内材及び第２案内材をそれぞれ固設することで、集束案内された長尺物が隙間なく保持できる効果を奏する。
【００１３】
請求項３に係る考案によれば、角状の長尺物を載荷した時に第１案内材と第２案内材を一体的に形成して、長尺物の外径幅と同じにすることで隙間なく載荷できる効果を奏する。
【００１４】
請求項４に係る考案によれば、長尺物を載荷した際、垂直材の高さと載荷した長尺物との高さを揃えることが可能となり、輸送時でも安定して長尺物を保持できる効果を奏する。
【図面の簡単な説明】
【００１５】
【図１】集束案内材が垂直材に固設された状態を示すホルダーの正面図である。
【図２】鍔が付設された長尺物を載置した状態を示す正面図であり、（ａ）は、集束案内材の位置を示す説明図であり、（ｂ）は、鍔のある方から見た正面図である。
【図３】集束案内材の構成の一例を示す正面図であり、（ａ）は、板状型の集束案内材を示す正面図であり、その上下の図は集束案内材の長さの違いを示している。（ｂ） はＬ字型の集束案内材を示す正面図である。
【図４】角状の長尺物を載置した状態を示す正面図である。
【図５】集束案内材が中間材に固設された状態を示すホルダーの正面図である。
【図６】中間材に枕部が固設されたホルダーの正面図である。
【図７】本考案の一例に係るホルダーに鍔が付設された円形状長尺物を載荷した状態を示す斜視図であり、（ａ）は、集束案内材の位置を示す斜視図であり、（ｂ）は、鍔のある方向から見た斜視図である。
【考案を実施するための形態】
【００１６】
[第１実施形態]
図１から図７は、本考案の実施形態に係る長尺物を集束するホルダー（１）を示す図である。このホルダー（１）は、鍔が付設された丸パイプ等の円形状長尺物（Ａ）や角パイプ等の角状長尺物（Ｂ）等の運搬及び保管時において、遊動せず集束保持が可能であり、ひいては運搬時に抜け落ちないことを特徴とする。
【００１７】
＜ホルダーの全体構成＞
図１から図７に示すように、この長尺物を集束するホルダー（１）は、対向する左右２本の垂直材（２）及び両端がこの垂直材（２）の下部に溶接、螺着又はそれらの組み合わせ
等で堅固に接合された略水平な中間材（３）からなり、さらに載置される長尺物を集束保持させる集束案内材（４）が溶接、螺着又はそれらの組み合わせ等により固設される。なお各図では、第1案内材（４１）及び第２案内材（４２）を記載しているが、固設される位置は限定されない。
【００１８】
[第２実施形態]
図２は、鍔が付設された円形状長尺物（Ａ）を載置した状態のホルダーの正面図である。この実施例でのホルダーでは、図２（ｂ）に示すように円形状長尺物（Ａ）を垂直材（２）から対向する垂直材（２）の間に通すように中間材（３）上に横架して平行に並べ、１段目（最下段）（ＬＭ）、２段目（中段）（Ｍ）、３段目即ち最上段（ＵＭ）と積み重ねてゆく状態で収納する。その際第１案内材（４１）及び第２案内材（４２）の上下に長尺物（Ａ） が載荷される状態（図２（ａ）参照）となる。この状態でホルダーを積載し運搬及び保管することが可能である。なお垂直材（２）には、鍔が付設された円形状長尺物（Ａ）が何段目に積載されているかを示す目盛や数値を刻設しておいても良い。第１実施形態のホルダー（１）を用いると、最上段（ＵＭ）の長尺物（Ａ）の包絡面（Ｅ）が略平坦になる。
【００１９】
[第３実施形態]
図３は、集束案内材（４）の構成を示す図である。図３（ａ）は、集束案内材（４）を長方形の板状体に形成した構成（４ａ）を示している。集束案内材（４）の形状幅は、載置する長尺物の外径幅の半分以上を有することが望ましい。
【００２０】
図３（ｂ）は、集束案内材（４）をＬ字型（４ｂ）に形成した構成を示している。これらの形状の幅を長尺物の外径幅と同じとすることで、中間材の横方向に長尺物が収束され、且つ垂直材の縦方向に長尺物が載置されることが可能となる。この形状は、鍔が付設された円形状長尺物（Ａ）及び角状長尺物（Ｂ）のどちらにも適用可能である。また、１つの垂直材（２）及び中間材（３）に1つ以上固設されることが望ましい。
【００２１】
[第４実施形態]
図４は、角状長尺物（Ｂ）を載荷した状態の平面図である。角状長尺物（Ｂ）も第２実施形態の鍔が敷設された円形状長尺物（Ａ）と同様の載荷が可能となる。また、図に示す集束案内材（４）及び（４ｄ）の外径幅を載荷した長尺物の外径と同じとなるように一体的に形成し、２つ以上垂直材（２）に固設することで、隙間なく長尺物を載荷することが可能であり、最上段（ＵＭ）の長尺物（Ｂ）の包絡面（Ｅ）が略平坦になる。
【００２２】
[第５実施形態]
図５に示すように、集束案内材（４）は中間材（３）にも溶接により１つ以上固設することができる。 また、図６に示すように、載荷した鍔が付設された円形状長尺物（Ａ）や角状長尺物（Ｂ）同士に隙間が生じ、載荷高に高低差が生じる場合は、中間材（３）に嵩上げする枕部（５）を固設することで載荷高を均一にすることができる。換言すれば、最上段の長尺物の包絡面を平坦にすることができる。
【００２３】
本考案は、上記実施形態以外にも本考案の要旨を変更しない範囲で種々の変形を行うことが可能である。
（１）前記実施形態において、集束案内材（４）の形状を板状体とＬ字型で構成したが、ホッパー等の集束保持し得る形状であれば上記以外の形状でも良い。
【産業上の利用可能性】
【００２４】
本考案によれば、数段にわたり積み重ねた長尺物の最上段の包絡面を平坦にすることができるので、番線等で結束した状態で工事現場等でのパイプ等長尺物を運搬する際に、長尺物をクレーンやフォークリフト等による荷役の際の荷崩れを防止でき、且つ集束保持している状態で保管できるので、検収が容易になり、長尺物の品質管理が維持されることから、産業上においても利用できる考案であることは明らかである。
【符号の説明】
【００２５】
１・・・ホルダー
２・・・垂直材
３・・・中間材
４１・・・第１集束案内材
４２・・・第２集束案内材
５・・・枕部
Ａ・・・鍔が付設された円形状長尺物
Ｂ・・・角状長尺物
【図１】
0003225509.tif 000003
【図２】
0003225509.tif 000004
【図３】
0003225509.tif 000005
【図４】
0003225509.tif 000006
【図５】
0003225509.tif 000007
【図６】
0003225509.tif 000008
【図７】
0003225509.tif 000009